(57)【要約】      （修正有）【課題】緩衝材を使う必要がなく、取り扱い易く、かつ、無線ＩＣタグ本体と容易に分離できる形状・構造の無線ＩＣタグ用耐衝撃保護ケースを提供する。【解決手段】無線ＩＣタグ用耐衝撃保護ケース１において、無線ＩＣタグ９がその間に収納可能な上下のプレート２、３と、上下プレート間に無線ＩＣタグが抜け落ちない間隔で周囲に配置される複数の支柱４、５、６と、無線ＩＣタグを収納することができる上下プレート間の収納口と、収納口からの無線ＩＣタグの抜け落ちを閉塞する上下プレートの同位置に配設される取付金具用開口７ａ、７ｂとを有する。【選択図】図１
2020086561.tif 000002
【特許請求の範囲】
【請求項１】
無線ＩＣタグがその間に収納可能な上下のプレートと、
上下プレート間に無線ＩＣタグが抜け落ちない間隔で周囲に配置される複数の支柱と、
無線ＩＣタグを収納することができる上下プレート間の収納口と、
収納口からの無線ＩＣタグの抜け落ちを閉塞する上下プレートの同位置に配設される取付金具用開口と
を有することを特徴とする無線ＩＣタグ用耐衝撃保護ケース。
【請求項２】
中心域に開口を有する無線ＩＣタグがその間に収納可能な上下のプレートと、
前記無線ＩＣタグの開口と取付金具で串刺し可能の上下プレートの取付金具用開口と
を有することを特徴とする無線ＩＣタグ用耐衝撃保護ケース。
【請求項３】
無線ＩＣタグの周囲に配設される複数の支柱とを有することを特徴とする請求項２に記載の無線ＩＣタグ用耐衝撃保護ケース。
【発明の詳細な説明】
【技術分野】
【０００１】
本発明は、パイプの溶融亜鉛めっき処理及び塗装処理の際に管一品フランジ部へ取り付けて外部衝撃から保護する無線ＩＣタグ用衝撃保護ケースに関する。
【背景技術】
【０００２】
この種の保護ケースに関して、本願出願人は、既に、特許第５８７７８８３号公報及び特許第６０４３４１８号公報に開示している。そのうち、特許第６０４３４１８号公報の開示を例に説明すれば、特許第６０４３４１８号公報の開示は、発明名称「無線通信タグケース」に係り、「無線ＩＣタグユニットケース２０１に使用される前記閉塞円盤２０４、同第一断熱材２０５、同第二断熱材２０６からなる内部緩衝材の底面に付着しためっきを取り除く際にも、前記閉塞円盤２０４が脱落することなく、また、前記ネジ２０８により前記金属ケース２０２に固定されるメガネ状の金具が曲がってしまったり、めがね状の金具の小穴にめっきが詰まり再使用が困難になることのない無線通信タグケースを提供することを目的とする」発明解決課題において(特許第６０４３４１８号公報の段落番号００１０の記載参照）、「収容する電磁誘導起電のパッシブタイプの無線ＩＣタグの電波伝搬を可能とする開口を有する金属ケースと、当該開口からの電波伝搬を阻害せず、かつ、亜鉛溶融めっき槽の高温に耐え、前記無線ＩＣタグに対する衝撃を吸収する緩衝材からなり、前記緩衝材は、前記金属ケースを内部から閉塞する閉塞部材及び前記無線ＩＣタグに巻回される巻回部が一体に構成された」構成とすることにより（同特許請求の範囲の請求項１の記載等参照）、「無線ＩＣタグをくり返し使用する際に、内部に収容される緩衝材を一体に構成したので、底面の円盤状の閉塞円盤に付着しためっきを取り除く際に閉塞円盤が脱落したり、破損したりすることがなく、また、金属ケース自体を延長した部所に直接頑丈なキーリング等の取り付け金具で吊り下げるようにしたので、めっき処理の最中での被処理物同士がぶつかったりして、固定のため金具が曲がってしまったり、金具の固定のための小穴にめっきが詰まり、再使用の際に開口しなければならないなどの作業が軽減することができる」との効果を奏するものである(同公報段落番号００１２の記載参照）。
【０００３】
図７は、特許第６０４３４１８号公報の図１として開示される発明を実施するための無線通信タグケースの実施例１を示す分解概略図である。図７において、１０１は、無線通信タグケース、１０２は、金属ケース、１０２ａは、底部開口、１０２ｂは、上部開口、１０２ｃは、延長部、１０２ｄは、キーリング穴、１０２ｅは、切り欠き部、１０３は、無線ＩＣタグ、１０３ａは、胴体、１０３ｂは、中央上部先端、１０４は、緩衝材、１０５は、キーリング、１０６は、上部緩衝材、１０７は、蓋体、１０８は、ネジ、１０９は、ネジ穴、１１０は、溝間隙である（符号は、先行技術であることを明らかにするために、本願出願人において、３桁に変更して説明した。）。
【０００４】
しかしながら、図７に示すような従来の無線通信タグケース１０１は、無線ＩＣタグ１０３の表面がガラス素材であったため外部衝撃から保護するための緩衝材１０４、１０６が入っており、それを収納するため大きく重たかった。また、無線ＩＣタグ１０３と無線通信タグケース１０１が一体化しており、分離が容易ではなく、内部に収納する無線ＩＣタグ１０３を交換する場合などの作業が煩わしいという問題があった。
【０００５】
すなわち、図７に示すような従来の無線通信タグケース１０１は、めっき処理工程で使用するめっき薬液が前記緩衝材１０４、１０６に染みこみ、時間が経つと薬液がにじみ出て周辺を汚す原因となっており、また、大きく重たいため取扱い辛く、さらには、無線ＩＣタグ１０３本体が損傷すると全体を廃棄しなければならず、コスト面でも問題があった。
【先行技術文献】
【特許文献】
【０００６】
【特許文献１】特許第５８７７８８３号公報
【特許文献２】特許第６０４３４１８号公報
【発明の概要】
【発明が解決しようとする課題】
【０００７】
そこで、緩衝材を使わず、取り扱い易く、かつ、無線ＩＣタグ本体と容易に分離できる形状・構造の無線ＩＣタグ用耐衝撃保護ケースを提供せんとする。
【課題を解決するための手段】
【０００８】
上記の課題を解決するために、本願請求項１に係る発明は、無線ＩＣタグ用耐衝撃保護ケースにおいて、無線ＩＣタグがその間に収納可能な上下のプレートと、上下プレート間に無線ＩＣタグが抜け落ちない間隔で周囲に配置される複数の支柱と、無線ＩＣタグを収納することができる上下プレート間の収納口と、収納口からの無線ＩＣタグの抜け落ちを閉塞する上下プレートの同位置に配設される取付金具用開口とを有することを特徴とする。
また、本願請求項２に係る発明は、無線ＩＣタグ用耐衝撃保護ケースにおいて、中心域に開口を有する無線ＩＣタグがその間に収納可能な上下のプレートと、前記無線ＩＣタグの開口と取付金具で串刺し可能の上下プレートの取付金具用開口とを有することを特徴とする。
そして、本願請求項３に係る発明は、前記請求項２に記載の無線ＩＣタグ用耐衝撃保護ケースにおいて、無線ＩＣタグの周囲に配設される複数の支柱とを有することを特徴とする。
【発明の効果】
【０００９】
上記の構成としたので、溶融亜鉛めっきの被処理パイプの溶融亜鉛めっき工程（運搬中や施工中）で発生する外部衝撃から無線ＩＣタグを保護することができ、また、当該保護ケース１内に無線ＩＣタグを挿入し、取り付け金具を使用して被処理パイプのフランジに取り付けるだけで、溶融亜鉛めっき作業工程で薬液槽やめっき槽に浸け込んだ際にも、当該保護ケース１内の空気がスムーズに抜け、この結果、高温により内部の空気が膨張して爆発する等の従来のこの種のケースで生じていた危険を避けることができる。
溶融亜鉛めっき処理の薬液槽やめっき槽から取り出すときにも、保護ケース１内に薬液及びめっきが内部に残りにくく、作業が容易となり、また、保護ケース１を無線ＩＣタグとを容易に分離できるので、無線ＩＣタグの交換が容易で、損傷が発生しても全て廃棄する必要がなく、メンテナンス性に優れ、長持ちするものとなる。
さらには、従来の無線通信タグケースのような緩衝材がないため、めっき処理工程で使用するめっき薬液が染みこまず時間が経っても薬液がにじみ出ないので周辺を汚すことがなく、衛生面でも従来のものよりも優れている。
【図面の簡単な説明】
【００１０】
【図１】図１（ａ）（ｂ）は、本発明に係る無線ＩＣタグ用耐衝撃保護ケースの一実施例である無線ＩＣタグ用耐衝撃保護ケースの実施例１の概略を示す図であり、図１（ａ）は、分解斜視図、図１（ｂ）は、全体概略図である。
【図２】図２（ａ）は、本実施例１に係る無線ＩＣタグ用耐衝撃保護ケース１の前記上プレート２及び前記下プレート３の間に前記無線ＩＣタグ９を滑り込ませて挿入する状態の概略を示す図であり、図２（ｂ）は、前記方形領域に前記無線ＩＣタグ９が挿入された後に、取付金具を前記取付金具用開口７ａ、７ｂに挿通した状態の概略を示す図である。
【図３】図３は、本実施例１に係る無線ＩＣタグ用耐衝撃保護ケース１を前記取付金具１０を使用して溶融亜鉛めっきの被処理パイプに取り付ける概略を示す図である。
【図４】図４（ａ）（ｂ）は、本発明に係る無線ＩＣタグ用耐衝撃保護ケースの実施例２の概略を示す図であり、図４（ａ）は、分解斜視図、図４（ｂ）は、全体概略図である。
【図５】図５（ａ）は、本実施例２に係る無線ＩＣタグ用耐衝撃保護ケース２１の前記上プレート２２及び前記下プレート２３の間に前記無線ＩＣタグ２９を滑り込ませて挿入する状態の概略を示す図であり、図５（ｂ）は、前記無線ＩＣタグ２９が上下の前記プレート２２、２３の間に挿入された後に、取付金具を前記取付金具用開口２８ａ及び無線ＩＣタグ２９の中心開口３０に挿通して使用する状態の概略を示す図である。
【図６】図６は、本実施例２に係る無線ＩＣタグ用耐衝撃保護ケース２１を前記取付金具３１を使用して溶融亜鉛めっきの被処理パイプに取り付ける概略を示す図である。
【図７】図７は、特許第６０４３４１８号公報の図１として開示される発明を実施するための無線通信タグケースの実施例１を示す分解概略図である。
【発明を実施するための形態】
【００１１】
本発明に係る無線ＩＣタグ用耐衝撃保護ケースの一実施例を図面に基づき詳細に説明する。
【実施例１】
【００１２】
図１（ａ）（ｂ）は、本発明に係る無線ＩＣタグ用耐衝撃保護ケースの一実施例である無線ＩＣタグ用耐衝撃保護ケースの実施例１の概略を示す図であり、図１（ａ）は、分解斜視図、図１（ｂ）は、全体概略図である。
図１（ａ）（ｂ）において、符号１は、本実施例１に係る無線ＩＣタグ用耐衝撃保護ケースであり、２は、上プレート、３は、下プレート、４，５，６は、上プレート２と下プレート３との間の支柱、４ａ、５ａ、６ａは、前記上プレート２に開けられる支柱開口、４ｃ、５ｃ、６ｃは、前記上プレート２上の支柱溶接盛部、７ａ、７ｂは、それぞれ前記上プレート２及び下プレート３に開けられるタグ取付金具用開口、８ａ、８ｂは、プレート突出部、９は、無線ＩＣタグである。
【００１３】
図１に示すように、本実施例１に係る無線ＩＣタグ用耐衝撃保護ケース１は、前記無線ＩＣタグ９を前記上下のプレート２、３の間に挿入して、パイプ等の溶融亜鉛めっき工程において、当該無線ＩＣタグ９を衝撃から守るためのものであり、上述してきたように、同溶融亜鉛めっき工程において、他の被処理材等や周囲の処理槽等との衝撃によって、前記無線ＩＣタグ９が破損しないようにする保護ケース１である。
ここで、本実施例１に係る無線ＩＣタグ用耐衝撃保護ケース１に使用する無線ＩＣタグ９は、セラミック表面に無線ＩＣタグを樹脂素材で封止した構造のものであるが、衝撃に弱いので本実施例１に係る無線ＩＣタグ用耐衝撃保護ケース１を必要とするのである。前記無線ＩＣタグ９は、直径１６ｍｍ程度で製作可能な限り薄い円盤状の無線ＩＣタグ９を想定し、これを容易にケース１の中に収納可能とし、また、無線ＩＣタグ９が容易に抜け落ちない構造とし、無線ＩＣタグ９が収納された前記保護ケース１を容易に被処理パイプ等に取り付けられるようにしたものである。
【００１４】
このため、図１に示すように、４ｍｍ厚程度のＳＵＳ３０４鋼製の円盤状の前記上下プレート２、３の前記プレート突出部８ａ、８ｂ近傍に約８ｍｍφの前記取付金具用開口７ａ、７ｂを設けると共に、当該上下プレート２，３の間隔を５ｍｍとするほか、前記プレート２，３の間には、前記開口７ａ、７ｂを一つの角(コーナー）とする前記無線ＩＣタグ９を収納する方形領域を内部に確保し、残余の３つの角(コーナー）に３本の各４ｍｍφの前記支柱４、５、６が立設される構造として、この方形領域に前記無線ＩＣタグ9を収納するようにしたものである。
【００１５】
そして、前記無線ＩＣタグ９を当該方形領域に容易に収納され、収納後は抜け落ちないようにするため、前記プレート突出部８ａ、８ｂから見て、前記支柱４、５、６の立設間隔は、対向する支柱間隔（支柱４及び支柱６との立設間隔）は、当該無線ＩＣタグ９が挿入可能な間隔（本実施例１に係る無線ＩＣタグ用耐衝撃保護ケース１においては、例えば、１８ｍｍ）とし、隣接する支柱間隔（支柱４と支柱５の立設間隔又は支柱５と支柱６の立設間隔）及び前記取付金具用開口７ａ、７ｂと両隣の支柱４及び支柱６との間の立設間隔については、前記無線ＩＣタグ９が抜け出ることのない間隔（本実施例１に係る無線ＩＣタグ用耐衝撃保護ケース１においては、例えば、支柱４と支柱５の立設間隔又は支柱５と支柱６の立設間隔を約１１．５ｍｍ）とするものである。
【００１６】
なお、前記支柱開口４ａ、５ａ、６ａは、４ｍｍφの開口であり、ここに４ｍｍφの丸棒からなる前記支柱４、５、６が差し込まれ、外側からのみ溶接されて前記上プレート２上の前記支柱溶接盛部４ｃ、５ｃ、６ｃで固定される（前記下プレート３の支柱開口４ｂ、５ｂ、６ｂ及び外側の支柱溶接盛部４ｄ、５ｄ、６ｄの図示は省略した。）。
【００１７】
このような構造の本実施例１に係る無線ＩＣタグ用耐衝撃保護ケース１は、前記無線ＩＣタグ９を前記上下のプレート２、３の間の前記プレート突出部８ａ、８ｂの方向から挿入するための、いわば、無線ＩＣタグ９の収納口として位置づけ、しかる後、前記取付金具用開口７ａ、７ｂに取付金具(図示外）を挿通することにより、いわば、前記収納口に当該取付金具(図示外）で蓋をして、前記無線ＩＣタグ９が抜け落ちることがなくなるようにしたものである。なお、このため、前記取付金具用開口７ａ、７ｂは、上下を通じて取付金具(図１では図示外）が挿通されるものであるから、上下同位置に配設される必要がある。
【００１８】
図２（ａ）は、本実施例１に係る無線ＩＣタグ用耐衝撃保護ケース１の前記上プレート２及び前記下プレート３の間に前記無線ＩＣタグ９を滑り込ませて挿入する状態の概略を示す図であり、図２（ｂ）は、前記方形領域に前記無線ＩＣタグ９が挿入された後に、取付金具を前記取付金具用開口７ａ、７ｂに挿通した状態の概略を示す図である。図２（ａ）（ｂ）において、符号１０は、自由に曲折可能な端部に大小の旋回端を有する螺旋状の取り付け金具であり、その余の符号は図１に示す同じ部署・部材は同じ符号で示し、その説明は省略する。すなわち、前記プレート突出部８ａ、８ｂの間から前記無線ＩＣタグ９を滑り込ませ、前記上下のプレート２，３間の方形領域に収納させたら、前記取付金具１０を前記取付金具用開口７ａ、７ｂに挿通して、前記無線ＩＣタグ９が外に飛び出ないようにする。
【００１９】
図３は、本実施例１に係る無線ＩＣタグ用耐衝撃保護ケース１を前記取付金具１０を使用して溶融亜鉛めっきの被処理パイプに取り付ける概略を示す図であり、図３において、１１は、管一品である被処理パイプのフランジ(図３においては、被処理パイプフランジカットモデルを用いて説明する）、１２は、同フランジ１１の開口するボルト穴であり、その余の符号は、図１（ａ）（ｂ）及び図２（ａ）（ｂ）で示した同じ部材は同じ符号で示した。
【００２０】
図３から明らかなように、前記取付金具１０は、端部に大きい旋回端と小さい旋回端を有するひねりが入った螺旋状であり、本実施例１に係る無線ＩＣタグ用耐衝撃保護ケース１を取り付ける際には、大きい旋回端の先端から前記無線ＩＣタグ９をセットした本実施例１に係る無線ＩＣタグ用耐衝撃保護ケース１を通し、帆実施例１に係る無線ＩＣタグ用衝撃保護ケース１を小さい旋回端まで導き、その後に前記大きな旋回端を前記ボルト穴１２に通せば、保護ケース１が被処理パイプに取り付けられ、溶融亜鉛めっき工程の途中で外れることがない。
【００２１】
図１−図３から明らかなように、本実施例１に係る無線ＩＣタグ用耐衝撃保護ケース１は、無線ＩＣタグ９が抜け落ちることのない間隔のあいた支柱４、５、６で囲まれた構造であるため、溶融亜鉛めっきの被処理パイプの溶融亜鉛めっき工程（運搬中や施工中）で発生する外部衝撃から無線ＩＣタグ９を保護することができ、当該保護ケース１内に無線ＩＣタグ９を挿入し、取り付け金具１０を使用して被処理パイプのフランジ１１に取り付ければ、溶融亜鉛めっき作業工程で薬液槽やめっき槽に浸け込んだ際にも、当該保護ケース１内の空気がスムーズに抜け、この結果、高温により内部の空気が膨張して爆発する等の従来のこの種のケースで生じていた危険を避けることができる。さらに、上記の各槽から取り出すときにも、保護ケース１内に薬液及びめっきが内部に残りにくく、保護ケース１を無線ＩＣタグ９と容易に分離できるので、メンテナンス性に優れ、長持ちするものとなる。
【００２２】
なお、本実施例１に係る無線ＩＣタグ用耐衝撃保護ケース１においては、円盤状の無線ＩＣタグ９の使用を前提としたが、例えば、パチンコ玉大の球状の保護ケースであってもよく、要は、ケース内に無線ＩＣタグを容易に収容でき、前記取付金具を保護ケースの所定の場所に設けた開口に挿通し、挿通後、取付金具で蓋をすることにより、容易に抜け落ちることのない形状であれば、突出部を有する円盤状に限らず、角形(例えば、六角形、五角形 etc.）や、２枚の上下のプレートで挟むサンドイッチ構造ではなく、周囲壁に複数の開口を設け、又は、複数の丸棒で檻状に囲んだ形状とし、内部の空気が容易に抜け、また、保護ケース１内に薬液及びめっきが残りにくい形状であれば、容易び変形が可能である。
【実施例２】
【００２３】
次に、中心に所定径の穴の開いた円盤状無線ICタグの使用を前提とした馬蹄形サンドイッチ形状の本発明の実施例２に係る無線ＩＣタグ用耐衝撃保護ケースについて図面に基づき説明する。
【００２４】
図４（ａ）（ｂ）は、本発明に係る無線ＩＣタグ用耐衝撃保護ケースの実施例２の概略を示す図であり、図４（ａ）は、分解斜視図、図４（ｂ）は、全体概略図である。
図４（ａ）（ｂ）において、符号２１は、本実施例２に係る無線ＩＣタグ用耐衝撃保護ケースであり、２２は、馬蹄形状の上プレート、２３は、馬蹄形状の下プレート、２４，２５，２６、２７は、前記上プレート２２と前記下プレート２３の間の支柱、２４ａ、２５ａ、２６ａ、２７ａは、前記上プレート２２に開けられる支柱開口、２４ｃ、２５ｃ、２６ｃ、２７ｃは、前記上プレート２２上の支柱溶接盛部、２８ａは、前記上プレート２２に開けられるタグ取付金具用開口、２９は、無線ＩＣタグ、３０は、無線ＩＣタグ２９の中心に設けられた開口である。
【００２５】
本実施例２に係る無線ＩＣタグ用耐衝撃保護ケース２１は、上記実施例１に係る無線ＩＣタグ用耐衝撃保護ケース１と同じように、前記無線ＩＣタグ２９を前記上下のプレート２２、２３の間に挿入して、パイプ等の溶融亜鉛めっき工程において、当該無線ＩＣタグ２９を衝撃により破損から守るためのものである。すなわち、上述してきたように、溶融亜鉛めっき工程において、当該保護ケース２１が他の被処理材等や周囲の処理槽等との衝撃によって、内部に収容された前記無線ＩＣタグ２９が破損しないようにする保護ケース２１である。
【００２６】
本実施例２に係る無線ＩＣタグ用耐衝撃保護ケース２１は、上述した実施例１に係る無線ＩＣタグ用耐衝撃保護ケース１と異なり、円盤状で中心域に開口３０を有する無線ＩＣタグ２９を使用することである。すなわち、使用される無線ＩＣタグ２９は、直径３０ｍｍφ又は２２ｍｍφのドーナツ形状で製作可能な限り薄い厚さの無線ＩＣタグ２９の使用を前提とし、その中心に設けられる開口は、上下の前記プレート２２、２３に開けられるタグ取付金具用開口２８ａと同径ないしは少なくとも８ｍｍφの開口のものである。。
【００２７】
また、図４に示すように、本実施例２に係る無線ＩＣタグ用耐衝撃保護ケース２１は、前記の上下のプレート２２、２３は、４ｍｍ厚のＳＵＳ３０４鋼製の馬蹄形プレート２２、２３であり、その間の間隔は本実施例２に係る無線ＩＣタグ用耐衝撃保護ケース２１においては１０ｍｍとし、その間に４本の前記支柱２４、２５、２６、２７を立設したものである。
そして、前記無線ＩＣタグ２９が内部の所定の領域内に収納するため、馬蹄形状直線部近傍を下底とする台形の各角(コーナー）位置に立設され、台形下底相当の前記支柱２４と支柱２７の立設間隔は、３４ｍｍ、台形上底相当の前記支柱２５と支柱２６の立設間隔は、２２ｍｍ間隔とするものである。
【００２８】
なお、前記支柱開口２４ａ、２５ａ、２６ａ、２７ａは、上記実施例１に係る無線ＩＣタグ用耐衝撃保護ケース１と同じ、４ｍｍφの開口であり、ここに４ｍｍφの丸棒からなる前記支柱２４、２５、２６、２７が差し込まれ、上下のプレート２２、２３の外側からのみ溶接されて、前記上プレート２２上の前記支柱溶接盛部２４ｃ、２５ｃ、２６ｃ、２７ｃで固定される（前記下プレート２３の外側の支柱溶接盛部２４ｄ、２５ｄ、２６ｄ、２７ｄの図示は省略した。）。
【００２９】
このような構造の本実施例２に係る無線ＩＣタグ用耐衝撃保護ケース２１において、馬蹄形状の前記上下のプレート２２、２３の馬蹄形状直線部から前記無線ＩＣタグ２９を挿入し、しかる後、前記取付金具用開口２８ａ及び無線ＩＣタグ２９の中心開口３０を同中心位置にして、それらの開口２８ａ、３０の間に取付金具(図４では図示外：後述）を挿通することにより、前記無線ＩＣタグ２９が抜け落ちることがないようにしたものである。なお、前記取付金具用開口２８ａ及び無線ＩＣタグ２９の中心開口３０は、上下を通じて取付金具(図１では図示外）が挿通されるものであるから、上下の前記２８ａと前記無線ＩＣタグ２９の中心の開口３０とは、同位置に配設される必要がある。
【００３０】
図５（ａ）は、本実施例２に係る無線ＩＣタグ用耐衝撃保護ケース２１の前記上プレート２２及び前記下プレート２３の間に前記無線ＩＣタグ２９を滑り込ませて挿入する状態の概略を示す図であり、図５（ｂ）は、前記無線ＩＣタグ２９が上下の前記プレート２２、２３の間に挿入された後に、取付金具を前記取付金具用開口２８ａ及び無線ＩＣタグ２９の中心開口３０に挿通して使用する状態の概略を示す図である。図５（ａ）（ｂ）において、符号３１は、両端に大きな旋回端と小さい旋回端とを有する自由螺旋状の取り付け金具であり、その余の符号は図４に示す同じ部署・部材は同じ符号で示し、その説明は省略する。すなわち、前記無線ＩＣタグ２９が前記上下のプレート２２，２３間に収納されたら、前記取付金具３１を前記取付金具用開口２８ａ及び前記無線ＩＣタグ２９の中心開口３０の間を串刺しにして挿通して、前記無線ＩＣタグ２９が外に飛び出ないようにする。
【００３１】
図６は、本実施例２に係る無線ＩＣタグ用耐衝撃保護ケース２１を前記取付金具３１を使用して溶融亜鉛めっきの被処理パイプに取り付ける概略を示す図であり、図６において、３２は、管一品被処理パイプのフランジ(図６においては、被処理パイプフランジカットモデルを用いた）、３３は、同フランジ３２の開口するボルト穴であり、その余の符号は、図４（ａ）（ｂ）及び図５（ａ）（ｂ）で示した同じ部材は同じ符号で示した。
【００３２】
図６から明らかなように、前記取付金具３１は、本実施例１に係る無線ＩＣタグ用耐衝撃保護ケース１で使用した取付金具１０と同様の両端部に大きい旋回端と小さい旋回端を有するひねりが入った螺旋状であり、本実施例２に係る無線ＩＣタグ用耐衝撃保護ケース２１を前記フランジ３２取り付ける際には、大きい旋回端から先に前記無線ＩＣタグ２９をセットした本実施例２に係る無線ＩＣタグ用耐衝撃保護ケース２１を通し、その後に前記ボルト穴３３に通せば、保護ケース２１が溶融亜鉛めっき工程の途中で外れることがない。
【００３３】
図４−図６から明らかなように、本実施例２に係る無線ＩＣタグ用耐衝撃保護ケース２１は、中心域に開口３０を有する無線ＩＣタグ２９が、上下のプレート２２、２３の取付金具用開口２８ａとの間で、取付金具３１で串刺しにされているので、溶融亜鉛めっき作業工程途中で抜け落ちることのなく、被処理パイプのフランジ３２に取り付けられる構造であるため、溶融亜鉛めっき作業工程で薬液槽やめっき槽に浸け込んだ際にも、当該保護ケース２１内の空気がスムーズに抜け、この結果、高温により内部の空気が膨張して爆発する等の従来のこの種のケースで生じていた危険等を避けることができる。さらに、上記の各槽から取り出すときにも、保護ケース２１内に薬液及びめっきが残りにくいので、保護ケース２１自体が長持ちし、さらには、無線ＩＣタグ２９本体と容易に分離できるのでメンテナンス性にも優れたものとなる。
【００３４】
なお、本実施例２に係る無線ＩＣタグ用耐衝撃保護ケース１においては、中心に開口３０を有する円盤状の無線ＩＣタグ２９の使用を前提としたが、例えば、中心域に取付金具３１が挿通し、保持できるものであれば、円盤状のものに限ることはなく、例えば、中心域に貫通口を有する球状の無線ＩＣタグの保護ケースであってもよい。また、保護ケースの外形も馬蹄形サンドイッチ形状に限らず、角形(例えば、六角形、五角形 etc.）や、２枚の上下のプレートで挟むサンドイッチ構造ではなく、周囲壁に複数の開口を設け、又は、複数の丸棒で檻状に囲んだ形状で、内部に収納する貫通穴の開いた無線ＩＣタグの貫通穴に取付金具３１を相通。保持して、ケース内部の空気が容易に抜け、また、保護ケース２１内に薬液及びめっきが残りにくい形状であれば、容易に変形が可能である。
【産業上の利用可能性】
【００３５】
本発明は、パイプの溶融亜鉛めっき処理及び塗装処理の際に管一品フランジ部へ取り付けて外部衝撃から保護する無線ＩＣタグ用衝撃保護ケースに利用される。
【符号の説明】
【００３６】
１ 実施例１に係る無線ＩＣタグ用耐衝撃保護ケース
２ 上プレート
３ 下プレート
４、５、６ 支柱
４ａ、４ｂ、５ａ、５ｂ、６ａ、６ｂ 支柱開口
４ｃ、５ｃ、６ｃ 上プレート上の支柱溶接盛部
４ｄ、５ｄ、６ｄ 下プレート上の支柱溶接盛部
６ 支柱
７ａ、７ｂ 取付金具用開口
８ａ、８ｂ プレート突出部
９ 無線ＩＣタグ
１０ 取付金具
１１ フランジ
１２ ボルト穴
２１ 実施例２に係る無線ＩＣタグ用耐衝撃保護ケース
２２ 馬蹄形上プレート
２３ 馬蹄形下プレート
２４、２５、２６、２７ 支柱
２４ａ、２５ａ、２６ａ、２７ａ 支柱開口
２４ｃ、２５ｃ、２６ｃ、２７ｃ 支柱溶接盛部
２４ｄ、２５ｄ、２６ｄ、２７ｄ 支柱溶接盛部
２８ａ タグ取付金具用開口
２９ 無線ＩＣタグ
３０ 開口
３１ 取付金具
３２ フランジ
３３ ボルト穴
１０１  無線通信タグケース
１０２  金属ケース
１０２ａ  底部開口
１０２ｂ  上部開口
１０２ｃ  延長部
１０２ｄ  キーリング穴
１０２ｅ  切り欠き部
１０３  無線ＩＣタグ
１０３ａ  胴体
１０３ｂ  中央上部先端
１０４  緩衝材
１０５  キーリング
１０６  上部緩衝材
１０７  蓋体
１０８  ネジ
１０９  ネジ穴
１１０  溝間隙
２０１  無線ＩＣタグユニットケース
２０２  金属ケース
２０４  閉塞円盤
２０５  第一断熱材
２０６  第二断熱材
２０８  ネジ
【図１】
2020086561.tif 000003
【図２】
2020086561.tif 000004
【図３】
2020086561.tif 000005
【図４】
2020086561.tif 000006
【図５】
2020086561.tif 000007
【図６】
2020086561.tif 000008
【図７】
2020086561.tif 000009
【手続補正書】
【提出日】令和1年11月11日(2019.11.11)
【手続補正１】
【補正対象書類名】特許請求の範囲
【補正対象項目名】請求項２
【補正方法】変更
【補正の内容】
【請求項２】
中心域に開口を有する無線ＩＣタグがその間に収納可能な上下のプレートと、
前記無線ＩＣタグの開口と取付金具で串刺し可能の上下プレートの取付金具用開口と
を有することを特徴とする請求項１に記載の無線ＩＣタグ用耐衝撃保護ケース。
【手続補正２】
【補正対象書類名】明細書
【補正対象項目名】０００８
【補正方法】変更
【補正の内容】
【０００８】
上記の課題を解決するために、本願請求項１に係る発明は、無線ＩＣタグ用耐衝撃保護ケースにおいて、無線ＩＣタグがその間に収納可能な上下のプレートと、上下プレート間に無線ＩＣタグが抜け落ちない間隔で周囲に配置される複数の支柱と、無線ＩＣタグを収納することができる上下プレート間の収納口と、収納口からの無線ＩＣタグの抜け落ちを閉塞する上下プレートの同位置に配設される取付金具用開口とを有することを特徴とする。
また、本願請求項２に係る発明は、請求項１に記載の無線ＩＣタグ用耐衝撃保護ケースにおいて、中心域に開口を有する無線ＩＣタグがその間に収納可能な上下のプレートと、前記無線ＩＣタグの開口と取付金具で串刺し可能の上下プレートの取付金具用開口とを有することを特徴とする。
そして、本願請求項３に係る発明は、前記請求項２に記載の無線ＩＣタグ用耐衝撃保護ケースにおいて、無線ＩＣタグの周囲に配設される複数の支柱とを有することを特徴とする。